(57)【特許請求の範囲】
【請求項１】
印字テープに印字してラベルを作成する印字装置において、
前記印字テープに印字する印字部と、
前記印字部により印字された前記印字テープを搬送させる搬送部と、
前記搬送部により搬送させた前記印字テープを切断させる切断部と、
前記印字部、前記搬送部、及び、前記切断部を制御して、余白エリアと、見出しエリアと、ラベル印字領域とを、前記印字テープの搬送方向に沿って順に設定する制御部を有し、
前記制御部は、さらに、
前記印字部を制御して、前記ラベル印字領域に印字させるテキストを、対象物への貼る方向に応じて正画像及び１８０度回転した画像のうちの設定された一方の画像を前記印字テープに印字させることを特徴とする印字装置。
【請求項２】
前記制御部は、
前記印字部を制御して、前記ラベル印字領域に印字させるテキストを、前記ラベルを前記対象物への貼る頁側に応じて正画像及び１８０度回転した画像のうちの設定された一方の画像を前記印字テープに印字させることを特徴とする請求項１に記載の印字装置。
【請求項３】
前記制御部は、前記ラベルを前記対象物の右頁側及び左頁側のどちらへ貼付するのかをユーザに設定させることを特徴とする請求項１又は２に記載の印字装置。
【請求項４】
前記制御部は、前記印字部、前記搬送部、及び、前記切断部を制御して、
前記余白エリアが前記印字テープの先端側に位置し、前記見出しエリアが前記余白エリアに対して前記印字テープの搬送方向の上流側に位置し、前記ラベル印字領域が前記見出しエリアに対して前記印字テープの搬送方向の上流側に位置するように設定することを特徴とする請求項１、２又は請求項３に記載の印字装置。
【請求項５】
印字テープに印字してラベルを作成する印字装置の印字方法において、
前記印字テープに印字する印字処理と、
前記印字処理により印字された前記印字テープを搬送させる搬送処理と、
前記搬送処理により搬送させた前記印字テープを切断させる切断処理と、
前記印字テープに、余白エリアと、見出しエリアと、ラベル印字領域とを、前記印字テープの搬送方向に沿って順に設定する制御処理を実行し、
前記制御処理において、さらに、
前記ラベル印字領域に印字させるテキストを、対象物への貼る方向に応じて正画像及び１８０度回転した画像のうちの設定された一方の画像を前記印字テープに印字させることを特徴とする印字方法。
【請求項６】
印字テープに印字してラベルを作成する印字装置の印字方法を実現するための印字制御プログラムにおいて、
前記印字テープに印字する印字処理と、
前記印字処理により印字された前記印字テープを搬送させる搬送処理と、
前記搬送処理により搬送させた前記印字テープを切断させる切断処理と、
前記印字テープに、余白エリアと、見出しエリアと、ラベル印字領域とを、前記印字テープの搬送方向に沿って順に設定する制御処理をコンピュータに実行させ、
前記制御処理において、さらに、
前記ラベル印字領域に印字させるテキストを、対象物への貼る方向に応じて正画像及び１８０度回転した画像のうちの設定された一方の画像を前記印字テープに印字させる制御処理をコンピュータに実行させることを特徴とする印字装置の印字制御プログラム。
【発明の詳細な説明】
【技術分野】
【０００１】
本発明は、ラベルを作成する印字装置と、該印字装置においてラベルを作成する印字方法と、この印字装置にラベルを作成させる印字方法を実現させるための印字制御プログラムに関する。
【背景技術】
【０００２】
テープ部材を収納したテープカセットを装置内にセットし、そのテープ部材の印字テープに対して、キーボード等の入力部から入力された或いは他の機器から出力された文字等を任意に印字することで、固有のラベルを作成できる装置として印字装置がある。
【０００３】
このような印字装置として、下記に示す特許文献１には、手に把持した状態で使用する場合であっても容易に作動させることができる切断機構と、切断機構を作動させた後に自動で可動刃を復帰させることができる可動刃復帰機構と、を備えることにより小型で軽量なテープ印字装置が開示されている。
【先行技術文献】
【特許文献】
【０００４】
【特許文献１】特開２０１１−６２９８６号公報
【発明の概要】
【発明が解決しようとする課題】
【０００５】
しかしながら、上述の特許文献１の印字装置では、切断位置と印字位置との物理的な間隔を設ける必要があることから、切断されて装置内に残るロール状の印字テープの先端位置と印字開始位置との間に空間が生じ、次のラベル作成時に余白部分を生成してしまうことから印字テープを無駄に消費するという課題があった。
【０００６】
本発明は、上述したような従来技術の問題点に鑑みてなされたものであり、印字テープの余白部分を有効活用してラベルを作成する印字装置と、該印字装置においてラベルを作成する印字方法と、ラベルを作成する印字方法を印字装置に実現させるための印字制御プログラムとを提供することを目的とする。
【課題を解決するための手段】
【０００７】
本発明に係る印字装置は、印字テープに印字してラベルを作成する印字装置において、前記印字テープに印字する印字部と、前記印字部により印字された前記印字テープを搬送させる搬送部と、前記搬送部により搬送させた前記印字テープを切断させる切断部と、前記印字部、前記搬送部、及び、前記切断部を制御して、余白エリアと、見出しエリアと、ラベル印字領域とを、前記印字テープの搬送方向に沿って順に設定する制御部を有し、前記制御部は、さらに、前記印字部を制御して、前記ラベル印字領域に印字させるテキストを、対象物への貼る方向に応じて正画像及び１８０度回転した画像のうちの設定された一方の画像を前記印字テープに印字させることを特徴とする。
【０００８】
本発明に係る印字装置の印字方法は、印字テープに印字してラベルを作成する印字装置の印字方法において、前記印字テープに印字する印字処理と、前記印字処理により印字された前記印字テープを搬送させる搬送処理と、前記搬送処理により搬送させた前記印字テープを切断させる切断処理と、前記印字テープに、余白エリアと、見出しエリアと、ラベル印字領域とを、前記印字テープの搬送方向に沿って順に設定する制御処理を実行し、前記制御処理において、さらに、前記ラベル印字領域に印字させるテキストを、対象物への貼る方向に応じて正画像及び１８０度回転した画像のうちの設定された一方の画像を前記印字テープに印字させることを特徴とする。
【０００９】
本発明に係る印字装置の印字制御プログラムは、印字テープに印字してラベルを作成する印字装置の印字方法を実現するための印字制御プログラムにおいて、前記印字テープに印字する印字処理と、前記印字処理により印字された前記印字テープを搬送させる搬送処理と、前記搬送処理により搬送させた前記印字テープを切断させる切断処理と、前記印字テープに、余白エリアと、見出しエリアと、ラベル印字領域とを、前記印字テープの搬送方向に沿って順に設定する制御処理をコンピュータに実行させ、前記制御処理において、さらに、前記ラベル印字領域に印字させるテキストを、対象物への貼る方向に応じて正画像及び１８０度回転した画像のうちの設定された一方の画像を前記印字テープに印字させる制御処理をコンピュータに実行させることを特徴とする。
【発明の効果】
【００１０】
本発明によれば、印字テープの余白部分を有効活用してラベルを作成する印字装置と、該印字装置においてラベルを作成する印字方法と、ラベルを作成する印字方法を印字装置に実現させるための印字制御プログラムとを提供することができる。
【図面の簡単な説明】
【００１１】
【図１】本発明の実施形態に係る印字装置の平面図である。
【図２】本発明の実施形態に係る印字装置の内部拡大図及びテープカセットの斜視図である。
【図３】本発明の実施形態に係る印字装置の機能ブロック図である。
【図４】本発明の実施形態に係る印字装置に交換可能なテープカセットを組み込んだ状態を示す模式図である。
【図５】本発明の実施形態に係る印字装置で作成される付箋紙用ラベルの作成例である。
【図６】本発明の実施形態に係る印字装置で作成される付箋紙用ラベルの作成例である。
【図７】本発明の実施形態に係る印字装置で作成される付箋紙用ラベルの作成例である。
【図８】本発明の実施形態に係る印字装置で作成される左頁貼付用の付箋紙用ラベルの使用例である。
【図９】本発明の実施形態に係る印字装置で作成される右頁貼付用の付箋紙用ラベルの作成例である。
【図１０】本発明の実施形態に係る印字装置で作成される右頁貼付用の付箋紙用ラベルの使用例である。
【図１１】本発明の実施形態に係る印字装置で作成される付箋紙用ラベルの作成の流れを示すフローチャートである。
【発明を実施するための形態】
【００１２】
以下、本発明の実施形態を図に基づいて詳説する。図１は、本発明の実施形態に係る印字装置1の平面図であり、図２は、この印字装置1に使用するテープカセット21の外観及び印字装置1の内部構造の一部を示す斜視図である。印字装置1は、表面に印字面を備え裏面が粘着面とされた印刷テープ層と、粘着面に貼付される剥離テープ層と、が積層されて形成されたテープ部材31からなる印字テープに文字等を印字する装置である。
【００１３】
なお、テープ部材31は、剥離テープ層を有さず、裏面に粘着層を有する印字用感熱ロールテープとすることもある。
【００１４】
印字装置1は、図１に示すように、筐体2の上面に液晶表示装置から構成されてソフトウェアキーボード機能により仮想のキーボードを表示するタッチパネル表示部3を備える。また、タッチパネル表示部3には、文字入力装置として液晶表示装置の表示画面の上面に透明な加圧スイッチであるタッチパネル入力部4が重ねて配設されている。
【００１５】
そして、タッチパネル表示部3の表示画面には、アルファベット文字キー、数字キー、記号キー等の文字・記号入力キー（以下、これら総じて文字キーと呼称）や、漢字への変換キー、無変換キー及び実行キー等々の制御キーを備える仮想のキーボードを表示するキーボード領域3a及びそのキーボード領域3aから入力された文字を表示する文字編集領域3bが設けられる。キーボード領域3aは、タッチパネル入力部4の各キーを画像として表示するとともに、タッチパネル入力部4として表示画面上に表示される各キーの位置を押圧することにより、各キーの座標位置のデータを入力するようになっており、これらタッチパネル表示部3とタッチパネル入力部4からソフトウェアキーボードを構成する。
【００１６】
そして、テープカセット21を装填させるために装置の背面に用意される開閉蓋の内側には、図２に示すように、テープ部材31及びインクリボン35を収容したテープカセット21を装填するためのカセット装填部8が形成されている。カセット装填部8内には、テープ印字機構45と、テープカセット21を所定の位置に支持するためのカセット受部15と、が形成されている。
【００１７】
このテープ印字機構45は、縦方向に配列された印字素子と、印字ヘッドとされるサーマルヘッド11と、サーマルヘッド11との間でテープ部材31及びインクリボン35を挟み込んでこれを搬送するプラテンローラ12と、印字に使用したインクリボン35をテープカセット21内に巻取るリボン巻取軸と、を備える。
【００１８】
また、カセット装填部8の一端部に筐体2の外に通じるテープ繰出部7が形成されており、このテープ繰出部7には、テープ部材31の印刷テープ層及び剥離テープ層を幅方向に切断するフルカット部としてのフルカット機構17と、テープ部材31の印刷テープ層のみを切断するハーフカット部としてのハーフカット機構18が組み込まれている。
【００１９】
さらに、テープカセット21は、カセットケース22を備え、このカセットケース22の内部には、テープ部材31が巻装されたテープコア23、未使用のインクリボン35が巻装されたリボン供給コア24、使用済みのインクリボン35を巻取るリボン巻取コア25が夫々収納されている。また、テープカセット21のカセットケース22には、カセット装填部8内にテープカセット21を装填した場合にサーマルヘッド11が位置するヘッド配置部27が形成されている。
【００２０】
また、カセットケース22の隅部には、カセット装填部8のカセット受部15と係合し、このカセット受部15によって支持される被係合部29が形成されている。そして、このカセットケース22の被係合部29には、図示しないがテープカセット21の種類に応じた所定の凹凸が形成されており、カセット装填部8のカセット受部15には、テープカセット21が装填された場合にカセットケース22の被係合部29に形成された凹凸を判別するテープ幅検出スイッチ16が形成されている。
【００２１】
そして、印字装置1は、カセットケース22がカセット装填部8に装填されると、カセットケース22の被係合部29とカセット装填部8のカセット受部15に形成されたテープ幅検出スイッチ16の幾つか或いは全部が係合し、係合したテープ幅検出スイッチ16が押下されて、このオン状態となったテープ幅検出スイッチ16の組み合わせによって印字テープのテープ幅等の種類を判別できるようになっている。
【００２２】
つまり、この印字装置1は、テープカセット21の種類が内蔵するテープ部材31の幅等によって異なるため、このテープカセット21の種類を判別することによって、印字テープの幅等を識別することができ、制御部40がテープ幅に適合した印字データを作成することができるようになっている。
【００２３】
この印字装置1は、印字の指示がされると、テープ部材31及びインクリボン35がテープカセット21から繰り出され、プラテンローラ12とサーマルヘッド11との間にこれらのテープ部材31及びインクリボン35が重ね合わされた状態で挟み込まれて搬送される。
【００２４】
そして、サーマルヘッド11が印字データに基づいて発熱駆動され、インクリボン35のインクがテープ部材31の印字テープに熱転写されて印字テープに印字が行われ、印字が終了すると設定によりフルカット機構17又はハーフカット機構18が作動してテープ部材31が幅方向に切断され、１枚のテープ状のラベルが作成される。
【００２５】
次に、印字装置1の回路構成について述べる。この印字装置1は、図３に示すように、制御部40を備える。そして、この制御部40には、記憶部としてのＲＯＭ41及びＲＡＭ42が接続されている。また、制御部40には、使用者のキー操作を受けて文字データやフォントサイズ等を入力したり、付箋紙用ラベルの分類マークを選択したり、付箋紙用ラベルの貼る方向を選択する入力部としてタッチパネル入力部4が接続されている。そして、制御部40には、入力された情報などの種々の情報を表示する表示部であるタッチパネル表示部3を駆動させるタッチパネル表示部駆動回路63が接続されている。
【００２６】
さらに、制御部40には、サーマルヘッド11を駆動するヘッド駆動回路51と、搬送用モータ46を駆動する搬送用モータ駆動回路52と、カッターモータ48を駆動するカッターモータ駆動回路53と、が接続されている。
【００２７】
そして、制御部40には、カートリッジの種別を判別するカートリッジ判別部であるテープ幅検出スイッチ16が接続されている。
【００２８】
制御部40はＣＰＵであって、タッチパネル入力部4からのキー入力信号、又は、自動でＲＯＭ41に予め記憶されているシステムプログラム、メモリーカードに記憶された制御プログラム、外部機器から読み込まれた制御プログラムなどを起動させ、ＲＡＭ42をワークメモリとして回路各部の動作を制御する。
【００２９】
ＲＯＭ41には、設定された文字列データ等を表示し印字するためのプログラムや印刷フォント、塗り潰しに使用される斜線や網目、ドット模様等が記憶され、制御部40で読み取り可能なプログラムが記憶された記憶媒体としても機能する。
【００３０】
そして、ＲＯＭ41は、表示用のフォントのパターンデータを記憶する表示用ＣＧ（キャラクタージェネレータ）41aを有する。また、ＲＯＭ41は、印字用のパターンデータを記憶する印字用ＣＧ（キャラクタージェネレータ）41bを有する。
【００３１】
ＲＡＭ42には、入力された印刷情報が展開された印刷パターンデータが記憶される印字データメモリ領域42aやタッチパネル表示部3に表示させるパターンデータが記憶される表示データメモリ領域42bなどが確保されており、印字処理などに必要なデータを一時的に記憶するレジスタやカウンタなどのワークエリア42cも設けられている。
【００３２】
ヘッド駆動回路51は、印刷情報や書式設定の情報に従って印字部であるサーマルヘッド11を制御し、テープ部材31に印刷を実行させる。搬送用モータ駆動回路52は、搬送部を駆動させる回路であって、プラテンローラ12やリボン巻取軸を回転させるステッピングモータ等の搬送用モータ46を制御し、所定の速度で長手方向にテープ部材31を搬送する。カッターモータ駆動回路53は、フルカット部及びハーフカット部等の切断部を制御する駆動回路であり、フルカット機構17で使用されるカッターモータ48としてのステッピングモータやハーフカット機構18で使用されるカッターモータ48としてのＤＣモータ等を制御する。
【００３３】
そして、印字装置1は、制御部40が、制御処理として、印字部であるヘッド駆動回路51、搬送部である搬送用モータ駆動回路52、及び、切断部であるカッターモータ駆動回路53等を制御することにより、文字列をテープ部材31に印字し、その印字部分を切断することでラベルを作成することができる。
【００３４】
また、制御部40は、付箋紙用ラベルとして印字させるテキスト及び分類分け用の分類マーク104を、付箋紙用ラベルをノート等の対象物への貼る方向に応じて、正画像又は１８０度回転させて印字させる。なお、分類分け用の分類マーク104は、１８０度回転させても同一なマーク形状とされていれば、回転させずに済ませることができる。
【００３５】
次に、本実施形態の印字装置1で、印字テープの余白部分を有効活用して付箋紙用に活用できる付箋紙用ラベルの作成について図を用いて説明する。図４は、本発明の実施形態に係る印字装置1に交換可能なテープカセット21を組み込んだ状態を示す模式図である。図５は、本発明の実施形態に係る印字装置1で作成される付箋紙用ラベル120の作成例である。
【００３６】
ロール状のテープからなるテープ部材31である印字テープ31aには、図４に示すように前回ラベル作成時に生成される、先述のサーマルヘッド11と切断部であるフルカット機構17におけるカッターとの間の空間により、印字テープ先端からサーマルヘッド11までの距離Ｌからなる余白部分（前余白）100が生成されている。そこで、付箋紙用ラベル120には、先ず、図５に示すように、その余白部分100から印字テープ31aを１８０度折り返すための目印とする印字テープ31aの幅方向に一点鎖線や破線からなる折り返し線102を印字させる。
【００３７】
次に、付箋紙用ラベル120には、余白部分100から折り返し線102までの印字テープ長と略同じ長さで形成され、印字テープ31aの分類分け用の分類マーク104を印字させる見出しエリア103が形成される。分類分け用の分類マーク104は、例えば、会議予定を示すものであれば、図５に示したように、会議室をイメージさせて一目で会議と理解させる分類マーク104を印字させる。
【００３８】
さらに、付箋紙用ラベル120には、見出しエリア103と、ラベルとして使用するテキスト文字等を印字させるテキスト印字エリア110と、の境界を示し印字テープ31aの幅方向に一点鎖線や破線からなる境界線106を印字させる。境界線106は、付箋紙用ラベル120をノート等の対象物に貼る場合に、ノートの周縁先端で合せて貼るための目印となる。
【００３９】
そして、付箋紙用ラベル120には、ラベル印字領域であるテキスト印字エリア110に付箋の目的を示す、例えば、会議予定、外出予定、出張予定、休暇予定、イベント予定、又は、伝言等を示すメッセージ115からなるテキストを印字させる。具体的には、テキスト印字エリア110に図５に示したように、会議予定として「15:00〜  大会議室Ａ」としたメッセージ115を印字させる。
【００４０】
付箋紙用ラベル120は、先述のとおり、例えば、会議予定、外出予定、出張予定、休暇予定、イベント予定、又は、伝言等を示すメッセージ115のメモに用いられる。そこで、見出しエリア103には、使用者が一目で付箋紙の目的を理解できる分類マーク104を印字させる。
【００４１】
なお、分類マーク104は、上記以外にも例えば、ノート整理に活用できる「参考資料」、「引例、文献」、又は、「アドレス帳」等を想起させるマークを用いても構わない。また、見出しエリア103には、必ずしも分類マーク104が印字されなければならないというわけではなく、その他の文字、絵、文章が印字されても良く、また、何も印字されない場合があっても良い。
【００４２】
次に、外出予定、出張予定、休暇予定等を示すメッセージ115のメモに使う付箋紙用ラベル120の作成例について図を用いて説明する。図６、図７は、本発明の実施形態に係る印字装置1で作成させる各種の付箋紙用ラベル120の作成例である。
【００４３】
外出予定に使用する付箋紙用ラベル120は、例えば、図６に示すように、分類分け用の分類マーク104として、鞄を持って外出訪問することを想起させる鞄の分類マーク104を印字させ、テキスト印字エリア110には、その行き先、日時等のメモを示す「8月10日（ＡＭ10：00〜）  Ｂ社訪問」とするメッセージ115を印字させる。
【００４４】
出張予定に使用する付箋紙用ラベル120は、例えば、分類分け用の分類マーク104として、遠距離の出張を想起させる飛行機の分類マーク104を印字させ、テキスト印字エリア110には、「1月8日  Ｃ社出張」とするメッセージ115を印字させる。
【００４５】
休暇予定に使用する付箋紙用ラベル120は、例えば、図７に示すように、分類分け用の分類マーク104として、休暇を想起させる釣りの分類マーク104を印字させ、テキスト印字エリア110には、「12月24日  有給休暇」とするメッセージ115を印字させる。
【００４６】
次に、本実施形態の印字装置1で作成するラベルを貼付させる対象物の左頁用又は右頁用に貼付させるときに、メッセージ115のテキスト及び分類分け用の分類マーク104を正画像又は１８０度回転させて印字させることにより付箋紙用ラベル120を作成する場合について図を用いて説明する。図８は、付箋紙用ラベル120を対象物200の左頁に貼付させたときの使用例である。図９は、本発明の実施形態に係る印字装置1で作成される対象物200の右頁に貼付させる付箋紙用ラベル120の作成例であり、図１０は、付箋紙用ラベル120を対象物200の右頁に貼付させたときの使用例である。
【００４７】
付箋紙用ラベル120は、先述のとおり、余白部分100、折り返し線102、見出しエリア103における分類分け用の分類マーク104、境界線106、及び、テキスト印字エリア110におけるメッセージ115を印字させて生成される。
【００４８】
そして、生成された付箋紙用ラベル120は、剥離テープ層を剥がして印刷テープ層のみとされると、印刷テープ層の裏面の粘着剤により、対象物へと貼ることができる。
【００４９】
そして、剥離テープ層を剥がした付箋紙用ラベル120は、先ず、テープ先端の余白部分100を折り返し線102で１８０度折り返して、見出しエリア103の裏面側で重なるように貼り合わせる。
【００５０】
これにより、見出しエリア103の裏面と余白部分100とが重なって夫々の粘着剤が対向するようにして貼り合わされることにより、付箋紙用ラベル120の見出しエリア103裏面を把持可能とすることができる。従って、見出しエリア103のテープ送り方向に対する長さは、テープ先端の余白部分100の長さと等しいか、もしくは、それ以上の長さに設定することが好ましい。
【００５１】
そして、見出しエリア103裏面を把持可能とした付箋紙用ラベル120において、粘着剤が塗布されたテキスト印字エリア110の裏面を、対象物であるノートやメモ帳等の左頁の最外端部で境界線106が重なるようにして貼り合わせれば、例えば、図８に示すように、外出を意味する鞄の分類分け用の分類マーク104が印字された見出しエリア103を対象物200の左頁の最外端部から突出させて付箋紙用ラベル120を対象物200に貼ることができる。
【００５２】
また、付箋紙用ラベル120を対象物200の右頁に貼付させるときには、図９に示すように、余白部分100を形成するように折り返し線102や境界線106と合せて、１８０度回転させた分類分け用の分類マーク104、及び、１８０度回転させたメッセージ115を印字させる。
【００５３】
そして、対象物200であるノートやメモ帳等の右頁の最外端部で境界線106が重なるようにして貼り合わせれば、例えば、図１０に示すように、外出を意味する鞄の分類分け用の分類マーク104が印字された見出しエリア103を対象物200の右頁の最外端部から突出させて付箋紙用ラベル120を対象物200に貼ることができる。
【００５４】
ここで、本実施形態の印字装置1で作成する付箋紙用に活用できる付箋紙用ラベル120の作成に関する流れについて図を用いて説明する。図１１は、本発明の実施形態に係る印字装置1で作成される付箋紙用ラベル120の作成の流れを示すフローチャートである。
【００５５】
先ず、ユーザにより印字装置1を付箋紙用ラベル作成モードとされると制御部40は、付箋紙用ラベル120の目的を示すメッセージ115を入力させる付箋紙用文字入力処理（ステップＳ１０）を実行する。
【００５６】
制御部40は、ユーザにより文字入力されると、次に、付箋紙用ラベル120の用途が何れかを入力させるために、会議予定、外出予定、出張予定、休暇予定、イベント予定、又は、伝言用等を示す分類分け用の分類マーク104をタッチパネル表示部3に表示させて入力選択させる付箋紙用途設定処理（ステップＳ２０）を実行する。
【００５７】
制御部40は、ユーザにより付箋紙の用途が設定されると、次に、付箋紙用ラベル120を対象物200の右頁側又は左頁側へ貼付するのかをユーザに設定させる付箋紙向き設定処理（ステップＳ３０）を実行する。
【００５８】
制御部40は、ユーザにより付箋紙用ラベル120を右頁側又は左頁側へ貼付するのかを設定されると、テープ部材31への印字を開始させる印字開始処理（ステップＳ４０）を実行する。
【００５９】
制御部40は、印字開始処理（ステップＳ４０）として、先ず、余白部分100から印字テープ31aを１８０度折り返すための目印となる印字テープ31aの幅方向に一点鎖線や破線からなる折り返し線102を印字させる折り返し線印字処理（ステップＳ５０）を実行する。
【００６０】
次に、制御部40は、余白部分100から折り返し線102までの印字テープ長と略同じ長さで見出しエリア103を形成させ、予めユーザにより選択された付箋紙用ラベル120の用途を示す分類分け用の分類マーク104をこの見出し印字エリア103に印字させる分類分けマーク印字処理（ステップＳ６０）を実行する。
【００６１】
次に、制御部40は、見出しエリア103と、ラベルとして使用するテキスト文字等を印字させるテキスト印字エリア110と、の境界を示し印字テープ31aの幅方向に一点鎖線や破線からなる境界線106を印字させる境界線印字処理（ステップＳ７０）を実行する。
【００６２】
次に、制御部40は、テキスト印字エリア110に予めユーザにより文字入力された付箋の目的を示すメッセージ115からなるテキストを印字させるテキスト文字印字処理（ステップＳ８０）を実行する。これにより制御部40は、印字部であるヘッド駆動回路51、搬送部である搬送用モータ駆動回路52、及び、切断部であるカッターモータ駆動回路53等を制御することにより、文字列をテープ部材31に印字し、その印字テープを切断することで付箋紙用ラベル120を作成し処理を終了する。
【００６３】
以上のように、本発明の実施形態によれば、印字不能な印字テープ先端余白を用いてラベルを作成する印字装置1と、印字装置1においてラベルを作成する印字方法と、ラベルを作成する印字方法を印字装置1に実現させるための印字制御プログラムとを提供することができる。
【００６４】
さらに、本発明の実施形態によれば、見出しエリア103を印字テープ先端から折り返し線102までの長さと同じ長さで形成させることにより、印字テープ31aの余白部分を有効活用して、付箋紙用ラベル120の見出し部分として利用できる。
【００６５】
また、本発明の実施形態によれば、見出しエリア103に分類分け用の分類マークを印字させることにより、作成した付箋紙用ラベル120の用途を明確とすることができる。
【００６６】
さらに、本発明の実施形態によれば、分類分け用の分類マーク104を会議マーク、外出マーク、出張マーク、休暇マーク、イベントマーク、又は、伝言用等のマークから選択可能なことから、付箋紙用ラベル120の作成を容易とすることができる。
【００６７】
また、本発明の実施形態によれば、テキスト印字エリア110に印字させるテキストを正画像又は１８０度回転させて印字させることにより、付箋紙用ラベル120を対象物200の右頁用又は左頁用に貼付させるための付箋紙用ラベル120を作成することができる。
【００６８】
そして、本発明の実施形態によれば、折り返し線102を一点鎖線や破線で印字させることにより、テープ先端の余白部分100を折り返し線102で１８０度折り返して、見出しエリア103の裏面側で重なるように位置合わせをしながら貼り合わせることにより、粘着剤の露出を防いでゴミの付着を防止し、しかも、貼付させるノート等の対象物200に付箋紙用ラベル120をインデックスシールのように貼り付けることができる。
【００６９】
また、本発明の実施形態によれば、テープ部材31である印字テープ31aが、印刷テープ層及び剥離テープ層からなるものであれば、付箋紙用ラベル120として、即座に対象物200に貼り付ける必要がなく、連続して付箋紙用ラベル120を作成して付箋紙用ラベル120の作り置きを可能とする。
【００７０】
さらに、本発明の実施形態によれば、テープ部材31である印字テープ31aが、印字用感熱ロールテープであって、剥離テープ層を有さないものであれば、印字テープ等の部品コスト等を低減させることができる。
【００７１】
さらに、本発明の実施形態におけるフローチャートに示した処理は、コンピュータに実現させることのできる印字制御プログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施形態で述べた各処理を記憶させ、他のコンピュータ等で印字制御プログラムを実行させることにより、本実施形態の装置を用いた場合と同様の作用効果が得られる。なお、コンピュータは、本実施形態で述べた装置に内蔵されたコンピュータに限定されるわけではなく、記憶媒体に記憶された印字制御プログラムを読み取り可能であって、読み取った印字制御プログラムに従って制御動作を行うＣＰＵ等の演算装置を備えているあらゆるコンピュータを含む。
【００７２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７３】
以下に、本願出願の最初の特許請求の範囲に記載された発明を付記する。
［１］  印字テープに印字してラベルを作成する印字装置において、
前記印字テープに印字する印字部と、
前記印字部により印字された前記印字テープを搬送させる搬送部と、
前記搬送部により搬送させた前記印字テープを切断させる切断部と、
前記印字部、前記搬送部、及び、前記切断部を制御して、前記印字テープの先端側に位置する前余白エリアを設定し、前記前余白エリアに対して前記印字テープの搬送方向の上流側に位置する見出しエリアを設定し、前記見出しエリアに対して前記印字テープの搬送方向の上流側に位置するラベル印字領域を設定する制御部を有することを特徴とする印字装置。
［２］  前記制御部は、前記前余白エリアと前記見出しエリアとの境に、前記印字テープの幅方向に沿って折り返し線を印字することを特徴とする請求項１に記載の印字装置。
［３］  前記制御部は、前記見出しエリアを前記印字テープ先端から前記折り返し線までの長さと等しいかまたはそれを越える長さで形成させることを特徴とする請求項２に記載の印字装置。
［４］  前記制御部は、前記印字部を制御して前記見出しエリアに分類分け用の分類マークを印字させることを特徴とする請求項１、２又は請求項３に記載の印字装置。
［５］  前記分類マークを選択可能な入力部を備えることを特徴とする請求項４に記載の印字装置。
［６］  前記制御部が、前記印字部を制御して前記ラベル印字領域に印字させるテキストを正画像又は１８０度回転させて印字させることを特徴とする請求項１乃至請求項５の何れかに記載の印字装置。
［７］  印字テープに印字してラベルを作成する印字装置の印字方法において、
前記印字テープに印字する印字処理と、
前記印字処理により印字された前記印字テープを搬送させる搬送処理と、
前記搬送処理により搬送させた前記印字テープを切断させる切断処理と、
前記印字テープの先端側に位置する前余白エリアを設定し、前記前余白エリアに対して前記印字テープの搬送方向の上流側に位置する見出しエリアを設定し、前記見出しエリアに対して前記印字テープの搬送方向の上流側に位置するラベル印字領域を設定する制御処理を実行することを特徴とする印字方法。
［８］  前記制御処理は、前記前余白エリアと前記見出しエリアとの境に、前記印字テープの幅方向に沿って折り返し線を印字する処理を実行することを特徴とする請求項７に記載の印字方法。
［９］  前記見出しエリアを前記印字テープ先端から前記折り返し線までの長さと等しいかまたはそれを越える長さで形成させる処理を実行することを特徴とする請求項８に記載の印字方法。
［１０］  前記印字処理は前記見出しエリアに分類分け用の分類マークを印字させる処理を実行することを特徴とする請求項７、８又は請求項９に記載の印字方法。
［１１］  前記分類マークを選択可能な入力処理を実行することを特徴とする請求項１０に記載の印字方法。
［１２］  前記印字処理は前記ラベル印字領域に印字させるテキストを正画像又は１８０度回転させて印字させる処理を実行することを特徴とする請求項７乃至請求項１１の何れかに記載の印字方法。
［１３］  印字テープに印字してラベルを作成する印字装置の印字方法を実現するための印字制御プログラムにおいて、
前記印字テープに印字する印字処理と、
前記印字処理により印字された前記印字テープを搬送させる搬送処理と、
前記搬送処理により搬送させた前記印字テープを切断させる切断処理と、
前記印字テープの先端側に位置する前余白エリアを設定し、前記前余白エリアに対して前記印字テープの搬送方向の上流側に位置する見出しエリアを設定し、前記見出しエリアに対して前記印字テープの搬送方向の上流側に位置するラベル印字領域を設定する制御処理をコンピュータに実行させることを特徴とする印字装置の印字制御プログラム。
［１４］  前記制御処理は、前記前余白エリアと前記見出しエリアとの境に、前記印字テープの幅方向に沿って折り返し線を印字する処理を実行することを特徴とする請求項１３に記載の印字装置の印字制御プログラム。
［１５］  前記見出しエリアを前記印字テープ先端から前記折り返し線までの長さと等しいかまたはそれを越える長さで形成させる処理をコンピュータに実行させることを特徴とする請求項１４に記載の印字装置の印字制御プログラム。
［１６］  前記印字処理は前記見出しエリアに分類分け用の分類マークを印字させる処理をコンピュータに実行させることを特徴とする請求項１３、１４又は請求項１５に記載の印字装置の印字制御プログラム。
［１７］  前記分類マークを選択可能な入力処理をコンピュータに実行させることを特徴とする請求項１６に記載の印字装置の印字制御プログラム。
［１８］  前記印字処理は前記ラベル印字領域に印字させるテキストを正画像又は１８０度回転させて印字させる処理をコンピュータに実行させることを特徴とする請求項１３乃至請求項１７の何れかに記載の印字装置の印字制御プログラム。
【符号の説明】
【００７４】
１      印字装置                      ２      筐体
３      タッチパネル表示部            ３ａ    キーボード領域
３ｂ    文字編集領域
４      タッチパネル入力部            ７      テープ繰出部
８      カセット装填部                １１    サーマルヘッド
１２    プラテンローラ
１５    カセット受部                  １６    テープ幅検出スイッチ
１７    フルカット機構                １８    ハーフカット機構
２１    テープカセット                ２２    カセットケース
２３    テープコア                    ２４    リボン供給コア
２５    リボン巻取コア                ２７    ヘッド配置部
２９    被係合部                      ３１    テープ部材
３１ａ  印字テープ
３５    インクリボン                  ４０    制御部
４１    ＲＯＭ                        ４１ａ  表示用ＣＧ
４１ｂ  印字用ＣＧ
４２    ＲＡＭ
４２ａ  印字データメモリ領域          ４２ｂ  表示データメモリ領域
４２ｃ  ワークエリア
４５    テープ印字機構
４６    搬送用モータ                  ４８    カッターモータ
５１    ヘッド駆動回路                ５２    搬送用モータ駆動回路
５３    カッターモータ駆動回路        ６３    タッチパネル表示部駆動回路
１００  余白部分                      １０２  折り返し線
１０３  見出しエリア                  １０４  分類マーク
１０６  境界線                        １１０  テキスト印字エリア
１１５  メッセージ                    １２０  付箋紙用ラベル
２００  対象物
【図１】
0005950148.tif 000002
【図２】
0005950148.tif 000003
【図３】
0005950148.tif 000004
【図４】
0005950148.tif 000005
【図５】
0005950148.tif 000006
【図６】
0005950148.tif 000007
【図７】
0005950148.tif 000008
【図８】
0005950148.tif 000009
【図９】
0005950148.tif 000010
【図１０】
0005950148.tif 000011
【図１１】
0005950148.tif 000012